(57)【要約】ＣＤＭＡ通信システムのディスパッチに対するニーズを満たすために、１つの呼出しに関連する各移動局（３０９，３１９）およびＣＢＳＣ（３０１，３１１）は、両者間に個々のＲＬＰセッションを確立することができる。各セッションは、共有されないそれ自身の一意のＲＬＰ連続番号を含む。逆リンク連続番号は、（「送話側」の移動局にサービスを提供している）ソースＣＢＳＣ（３０１，３１１）から（「受話側」の移動局にサービスを提供している）目標ＣＢＳＣ（３０１，３１１）に送られる。しかし、その順方向リンクＲＬＰ連続番号の目標ＣＢＳＣ（３０１，３１１）が直接使用する代わりに、ＣＢＳＣ（３０１，３１１）に送られた連続番号は、現存の目標ＣＢＳＣ（３０１，３１１）の現在のＲＬＰ連続番号に翻訳される。
2004537915.tif 000002
【特許請求の範囲】
【請求項１】
第１の無線リンクプロトコル（ＲＬＰ）セッションに対応する第１の連続番号を有したフレームを第１の移動局から受信するステップと、
前記第１の連続番号を、第２のＲＬＰセッションに対応する第２の連続番号によって置換するステップと、
前記第２の連続番号を備えた前記フレームを、前記第２のＲＬＰセッションを使用する第２の移動局に伝送するステップとからなるデータ伝送方法。
【請求項２】
前記第１の連続番号を、第３のＲＬＰセッションに対応する第３の連続番号によって置換するステップと、
前記第３の連続番号を備えた前記フレームを、前記第３のＲＬＰセッションを使用する第３の移動局に伝送するステップとをさらに有する請求項１に記載の方法。
【請求項３】
第３の連続番号を有した消去フレームがあったことを判定するステップと、
同消去フレームを前記第２の移動局に送信する機能を行わないステップと、
前記消去フレームを第２の移動局に送信する機能を行わないステップに応じて否定応答（ＮＡＫ）を受信するステップと、
前記消去フレームについて以前にＮＡＫが送信されたか否かを判定すべくメモリにアクセスするステップと、
前記消去フレームについてのデータを受信するステップと、
同消去フレームについてのデータを前記第２の移動局へと第４の連続番号を備えて送信するステップとをさらに有する、請求項１に記載の方法。
【請求項４】
第１の複数の連続番号を有した第１の複数フレームを第１の移動局から受信するステップと、
前記第１の複数の連続番号を、第２の複数の連続番号によって置換するステップと、
前記第１の複数の連続番号を、第３の複数の連続番号によって置換するステップと、
前記第２の複数の連続番号を備えた前記第１の複数フレームを第２の移動局に伝送するステップと、
前記第３の複数の連続番号を備えた前記第１の複数フレームを第３の移動局に伝送するステップとからなるデータ伝送方法。
【請求項５】
前記第１の移動局から第１の複数フレームを受信するステップは、第１の無線リンクプロトコル（ＲＬＰ）連続番号からなる前記第１の複数フレームを前記第１の移動局から受信するステップからなる、請求項４に記載の方法。
【請求項６】
複数フレームに対応した複数の連続番号を有した前記複数フレームを受信するステップと、
前記複数の連続番号における欠落によってフレームが消去されたことを判定するステップと、
消去フレームを移動局に送信せずに、同消去フレームの連続番号を記憶するステップと、
前記移動局に消去フレームを送信しないステップに応じて否定応答（ＮＡＫ）を受信するステップと、
前記消去フレームを受信するステップと、
前記消去フレームの連続番号を第２の連続番号へと翻訳するステップと、
同第２の連続番号を備えた前記消去フレームを前記移動局に送信するステップとからなる方法。
【請求項７】
前記第２の連続番号を備えた消去フレームを移動局に送信するステップは、
前記消去フレームを受信するステップと、
前記消去フレームの連続番号に基づき、前記消去フレームは遅延フレームであることを判定するステップと、
前記移動局からＮＡＫが受信されたことを判定するためにデータベースをチェックするステップと、
前記移動局からＮＡＫが受信された場合に限り、前記第２の連続番号を備えた消去フレームを前記移動局に送信するステップとをさらに有する、請求項６に記載の方法。
【請求項８】
前記複数の連続番号を有した複数フレームを受信するステップは複数の無線リンクプロトコル（ＲＬＰ）連続番号を有した複数フレームを受信するステップからなる、請求項７に記載の方法。
【請求項９】
第１のフレームを入力として有する論理ユニットと、同第１フレームは第１の無線リンクプロトコル（ＲＬＰ）セッションに対応する第１の連続番号を有することと、
前記論理ユニットに結合された翻訳データベースと、同翻訳データベースは第２のＲＬＰセッションに対応する第２の連続番号を提供することと、
前記第２の連続番号を備えた前記第１のフレームを第２の移動局へと伝送するための伝送回路と、同第２の移動局は前記第２のＲＬＰセッションを利用することとからなる装置。
【請求項１０】
前記第１のフレームを入力として有する第２の論理ユニットと、
同第２の論理ユニットに結合された第２の翻訳データベースと、同第２の翻訳データベースは第３のＲＬＰセッションに対応する第３の連続番号を提供することと、
前記第２の連続番号を備えた前記第１のフレームを第３の移動局に伝送するための第２の伝送回路と、前記第３の移動局は前記第３のＲＬＰセッションを利用することとをさらに有した請求項９に記載の装置。
【発明の詳細な説明】
【０００１】
（発明の分野）
本発明は、通信システム一般に関する。より詳細には通信システムにおける伝送スキームに関する。
【０００２】
（発明の背景）
図１は、引用により本明細書の記載に援用する、米国特許第６，１６９，７３２号が開示している符号分割多元接続（ＣＤＭＡ）通信システムのブロック図である。上記’７３２特許が開示しているように、中央基地局コントローラ（ＣＢＳＣ）１１１および１１２の間のデータ経路は、無線リンクプロトコル（ＲＬＰ）フレーミング情報を保持している。ＲＬＰ初期化／同期は、通常の陸上−移動局間、または移動局−陸上間の通常の呼出しに対して、各移動局（１０１および１０２）とその相手方のＣＢＳＣ間に確立される。同期が確立した後で、各ＲＬＰは、ＣＢＳＣと移動局間の制御メッセージに基づいて、標準否定応答（ＮＡＫ）を維持し、データフレームは、目標のＣＢＳＣ修正ＲＬＰ（ＭＲＬＰ）に転送され、次に、ＲＬＰフレーミング情報と一緒に移動局に転送される。
【０００３】
アップリンクデータ経路上で消去が行われると、フレームは、通常の呼出しでのように、ＭＲＬＰに対応するソースＣＢＳＣにより否定応答される。以降のデータフレームは、バッファされずに、目標ＣＢＳＣに転送される。目標ＣＢＳＣは、これらのフレームを、移動局が消去フレームに否定応答し、消去フレームが再伝送され、受信されるまで、以降のデータフレームをバッファする（標準ＲＬＰ実施による）予想と一緒に移動局に転送する。ダウンリンクＭＲＬＰも、消去データフレームを検出し、移動局から受信したどの否定応答を実行し（すなわち、ダウンリンク喪失により）対等ＭＲＬＰアプリケーションにより（すなわち、アップリンク喪失により）、どれがすでに否定応答されたのかを判定するためにこの情報を記録する。アップリンクＭＲＬＰプロセスが否定応答フレームを受信すると、このプロセスは、既知の喪失アップリンクフレームにより、否定応答が予想されていたかどうか、または否定応答が、ダウンリンク消去による新しい喪失フレームであるかどうかを判定するために、否定応答要求を記録した情報と比較する。
【０００４】
図２は、ＭＲＬＰアプローチを使用する通常のフレーム消去シナリオである。この場合、喪失フレームは、ソースＣＢＳＣ１１１により否定応答されるが、移動局１０２への伝送のために、フレームは、依然として目標ＣＢＳＣ１１２のＭＲＬＰに転送される。移動局１０２が喪失フレームを検出すると、この移動局は、目標ＣＢＳＣ１１２へのフレームに否定応答するが、目標ＣＢＳＣ１１２は、このフレームがソースＣＢＳＣ１１１によりすでに否定応答され、その途中であることに気が付き、そのためＣＢＳＣ１１２はこの要求を無視する。正味の結果は、アップリンク上でフレーム消去が行われると、移動局１０２から見た場合、陸上−移動局間呼出しおよび移動局−陸上間呼出しに対するＲＬＰの性能と等価の、たった１つのフレームデータホールになる。
【０００５】
最近、ＣＤＭＡシステムにディスパッチ機能を追加しようという提案が行われた。今日のセルラーシステムが供給する相互接続サービスとは異なり、ディスパッチサービスは、従来から、２方向無線システムにより供給されてきた。このようなサービスを利用すれば、ユーザは、今日のセルラーシステムを使用する、扱いにくいか、または高価な種々の方法で通信することができる。例えば、ディスパッチグループ呼出しサービスを使用すれば、ユーザは、通常、プッシュツウトーク（ＰＴＴ）ボタンを押すだけで、複数の人々と同時に、また瞬時に通信することができる。セルラーシステムを使用した場合には、このような呼出しを瞬時に行うことはできない。何故なら、３方向の呼出しを行うためには、それぞれの電話番号をダイヤルしなければならないし、会議のための呼出しを設定するには、複数の装置が必要になるからである。
【０００６】
同様に、個々のディスパッチ呼出しサービスを使用すれば、ユーザは、他のユーザと迅速に、自然に通信することができる。この機能は、一緒に働いているが、ビルの異なる場所にいる２人の人のような、一緒に働いているが互いに直接話すことができない２人の人にとっては理想的なものである。会話のために無線電話呼出しのほうが適している場合には、仕事している２人の人の間の短いメッセージは、個々のディスパッチ呼出しサービスを使用したほうが、容易にやりとりすることができる。
【０００７】
従来、セルラーシステムによる音声サービスは、再伝送によるさらなる音声の遅延のために、否定応答プロトコルにより使用することはできなかった。しかし、再伝送を行わない場合には、音声の劣化を最小限度に抑えるために、空中でのフレーム消去率を低く維持することが重要である。再伝送を行うことにより、フレーム消去率の目標を高く設定することができ、その結果、ＣＤＭＡシステム内の容量をかなり改善することができる。それ故、システムの遅延とシステムの容量との間で折り合いをつけなければならない。従来、ディスパッチサービスの場合には、システムがサポートするディスパッチ呼出しの数を増大するために、再伝送機構を導入することができると考えられてきた（それ故、さらなる遅延が生じると考えられてきた）。しかし、その場合でも、システムの遅延をできる限り最小限度に抑えることが重要である。上記’７３２特許が開示しているＭＲＬＰ機構を使用した場合には、標準ＲＬＰ機構を使用した場合と比較すると、終端間の遅延はかなり短くなる。
【０００８】
いくつかのシナリオの場合には、上記’７３２特許が開示しているＭＲＬＰアプローチは、実際には使用できないか、改善しなければならない。例えば、２つの移動局間にディスパッチ呼出しがすでに確立していて、第３の移動局を追加することにより、グループ呼出しに移行したい場合を考えてみよう。元の２つの移動局は、確立したＲＬＰセッションを有し、例えば、連続番号１００を有している。第３の移動局が追加され、サービスを提供するそのＣＢＳＣとのＲＬＰセッションがスタートする。ＲＬＰセッションは、何時でも、連続番号０のところからスタートし、現在、ＣＤＭＡＩＳ−９５／ＩＳ−２０００仕様は、ゼロでない値に対してＲＬＰセッションを許可していない。第３の移動局が追加されると、ＭＲＬＰには、その移動局のところで受信した連続番号が適用され、例えば、１から１００へジャンプする。このことは、第３の移動局により間違って解釈される。例えば、この移動局は、フレーム１−９９が喪失し、その再伝送が要求されると仮定することができる。別な方法としては、第３の移動局は、ＲＬＰプロトコルを打ち切って、再度スタートしなければならないと判定することもできる。私的な（２人のユーザ）呼出しを確立中に、特にそのそれぞれのトラヒックチャネル上で確立しようとしている２つの移動局間に有意の時間差がある場合には、類似の問題が発生する恐れがある。そのため、再伝送への修正ＲＬＰアプローチを使用し、大量のデータを再伝送する必要のない複数のユーザが、１つの呼出しに参加することができる通信システムで使用する伝送スキームのための方法および装置の開発が待望されている。
【０００９】
（図面の詳細な説明）
ＣＤＭＡ通信システムのディスパッチに対するニーズを満たすために、１つの呼出しに関連する各移動局およびＣＢＳＣは、両者間に個々のＲＬＰセッションを確立することができる。各セッションは、共有されないそれ自身の一意のＲＬＰ連続番号を含む。逆リンク連続番号は、（「送話側」の移動局にサービスを提供している）ソースＣＢＳＣから（「受話側」の移動局にサービスを提供している）目標ＣＢＳＣに送られる。しかし、その順方向リンクＲＬＰ連続番号の目標ＣＢＳＣが直接使用する代わりに、ＣＢＳＣに送られた連続番号は、現存の目標ＣＢＳＣの現在のＲＬＰ連続番号に翻訳される。
【００１０】
各ＲＬＰは、それ自身の一意の連続番号を維持しているので、移動局は、受信したＲＬＰ連続番号で、観察したり、または分裂を起さないで、現存の呼出しに参加したり、抜けたりすることができる。さらに、移動局間の任意の遅延差により分裂も起きないし、トラヒックチャネル上の確立も起こらない。
【００１１】
本発明は、データ伝送のための方法を含む。該方法は、第１の移動局から１つのフレームを受信するステップを含む。上記フレームは、第１の無線リンクプロトコル（ＲＬＰ）セッションに対応する第１の連続番号を有し、第１の連続番号を第２の連続番号により置換する。第２の連続番号は、第２のＲＬＰセッションに対応し、上記フレームを、第２の連続番号と一緒に、第２の移動局に伝送する。第２の移動局は、第２のＲＬＰセッションを使用する。
【００１２】
本発明は、さらに、データ伝送のための方法を含む。該方法は、第１の移動局から第１の複数のフレームを受信するステップを含む。上記第１の複数のフレームは、第１の複数の連続番号を有し、第１の複数の連続番号を第２の複数の連続番号により置換する。第１の複数の連続番号は、第３の複数の連続番号により置換され、第１の複数のフレームは、第２の複数の連続番号と一緒に、第２の移動局に伝送される。最後に、第１の複数のフレームは、第３の複数の連続番号と一緒に、第３の移動局に伝送される。
【００１３】
本発明は、さらに、複数のフレームに関連する複数の連続番号を有する複数のフレームを受信するステップを含み、複数の連続番号の欠落により、１つのフレームが消去されたことを判定し、消去されたフレームを移動局に送らないで、消去フレームの連続番号を記憶する方法を含む。否定応答（ＮＡＫ）は、消去フレームを移動局に送らないステップに応じて受信され、消去フレームも受信される。消去フレームの連続番号は、第２の連続番号に翻訳され、移動局に送られる。
【００１４】
本発明は、さらに、１つの装置を含む。該装置は、入力として、第１の無線リンクプロトコル（ＲＬＰ）セッションに対応する第１の連続番号を有する第１のフレームと、論理ユニットに接続している第２のＲＬＰセッションに対応する第２の連続番号を供給する翻訳データベースと、上記第１のフレームを、第２の連続番号と一緒に第２の移動局に伝送するための伝送回路とを備える。第２の移動局は、第２のＲＬＰセッションを使用する。
【００１５】
本発明は、さらに、入力として第１の複数のフレームを有する論理ユニットを含む装置を備える。第１の複数のフレームは、第１の複数の連続番号を有し、論理ユニットは、第１の複数のフレームを、第１の複数の連続番号を置換する第２の複数の連続番号と一緒に出力し、第２の論理ユニットは、入力として第１の複数のフレームを有し、第１の複数のフレームを、第１の複数の連続番号を置換する第３の複数の連続番号と一緒に出力し、第１の伝送回路は、第１の複数のフレームを、第２の複数の連続番号と一緒に第１の移動局に出力し、第２の伝送回路は、第１の複数のフレームを、第３の複数の連続番号と一緒に、第２の移動局に出力する。
【００１６】
図面について説明すると、図面中、類似の参照番号は、類似の部材を示す。図３は、本発明の好適な実施形態の通信システム３００のブロック図である。本発明の好適な実施形態の場合には、通信システム３００は、引用により本明細書の記載に援用する、電子産業協会／電気通信産業協会暫定規格２０００（ＩＳ２０００）のセルラーシステム遠隔ユニット−基地局互換性規格が規定している符号分割多元接続（ＣＤＭＡ）システムプロトコルを使用する。（ワシントンＤ．Ｃ．ＮＷ、ペンシルベニアアベニュー、２００１、２０００６所在のＥＩＡ／ＴＩＡにコンタクトすることができる）。しかし、他の実施形態の場合には、通信システム３００は、ＵＭＴＳ  Ｗｉｄｅｂａｎｄ  ｃｄｍａ  ＳＭＧ２  ＵＭＴＳ物理層専門家グループＴｄｏｃ  ＳＭＧ２  ＵＭＴＳ−Ｌ１  ２２１／９８（ＵＭＴＳ  ２２１／９８）に記載されているように、次世代ＣＤＭＡアーキテクチャ、ｃｄｍａ２０００国際電気通信連合−無線通信部門（ＩＴＵ−Ｒ）無線伝送技術（ＲＴＴ）候補提出書類に記載されている、次世代ＣＤＭＡアーキテクチャ、または「１．８−２．０ＧＨｚ符号分割多元接続（ＣＤＭＡ）パーソナル通信システムに対する、パーソナル局−基地局互換性要件」に記載されている移動通信（ＧＳＭ）プロトコル、ＣＤＭＡシステムプロトコル用の次世代グローバルシステムのような、しかしこれらに限定されない他のデジタルセルラー通信システムプロトコルを使用することもできる（米国規格協会（ＡＮＳＩ）Ｊ−ＳＴＤ−００８）または、欧州電気通信標準協会（ＥＴＳＩ）広帯域ＣＤＭＡ（Ｗ−ＣＤＭＡ）プロトコル）。
【００１７】
本発明の好適な実施形態の場合には、通信システム３００は、ＣＢＳＣ３０１と３１１間のデータ経路が、ＲＬＰフレーミング情報を保持し、２つのＣＢＳＣが、本発明の種々の機能により、音声およびデータの両方に対する修正ＲＬＰアルゴリズムを実行するように構成される。ＲＬＰ初期化／同期は、陸上−移動局呼出しまたは移動局−陸上呼出しの場合のように、各移動局と相手方のＣＢＳＣ間に確立される。同期が確立した後で、各ＲＬＰは、ＣＢＳＣと移動局間の制御メッセージに基づく標準否定応答（ＮＡＫ）を維持し、データフレームは、対等なＭＲＬＰに転送され、次に、ＲＬＰフレーミング情報と一緒に移動局に転送される。アップリンクデータ経路上で消去が行われると、フレームは、通常の呼出しの場合のように、ソースＣＢＳＣのところで、対応するＭＲＬＰにより否定応答されるが、アップリンクＭＲＬＰが、フレームの再伝送を待っている間に、以降のフレームは、バッファされずに、対等のＭＲＬＰ（目標ＣＢＳＣ）に転送される。対等のダウンリンクＭＲＬＰは、これらのフレームを、移動局が喪失フレームを否定応答し、喪失フレームが再伝送され、受信されるまで、後続のデータフレームをバッファするという（標準ＲＬＰ実行による）予想と一緒に移動局に転送する。ダウンリンクＭＲＬＰは、また、喪失データフレームを検出し、移動局から受信したどの否定応答を実行（すなわち、ダウンリンク喪失により）すべきかどうか、対等ＭＲＬＰアプリケーションにより（すなわち、アップリンク喪失により）、どれがすでに否定応答されたのかを判定するために、この情報を記録する。アップリンクＭＲＬＰプロセスが、否定応答フレームを受信すると、このプロセスは、ＮＡＫが、既知の喪失アップリンクフレームにより予想されたものかどうか、または否定応答が、ダウンリンク消去による新しい喪失フレームであるかどうかを判定するために、否定応答要求を記録した情報と比較する。
【００１８】
すでに説明したように、ＣＤＭＡシステムにディスパッチ機能を追加すると、再伝送へのＭＲＬＰアプローチは、非効率的になる。より詳細に説明すると、各呼出しは、それ自身の一意のＲＬＰ連続番号を含んでいるので、ディスパッチ呼出しに関連する複数の移動局間の（再伝送のための）ＲＬＰ連続番号の使用は実行できない。この問題を解決するために、本発明の好適な実施形態の場合には、呼出しに関連する各移動局およびＣＢＳＣは、それらの間に個々のＲＬＰセッションを確立することができる。各セッションは、それ自身の一意のＲＬＰ連続番号を含む。上記’７３２特許が開示しているように、逆リンク連続番号が、（「送話側」の移動局にサービスを提供している）ソースＣＢＳＣから（「受話側」の移動局にサービスを提供している）目標ＣＢＳＣに送られる。しかし、その順方向リンクＲＬＰ連続番号の目標ＣＢＳＣが直接使用する代わりに、ＣＢＳＣに送られた連続番号は、現存の目標ＣＢＳＣの現在のＲＬＰ連続番号に翻訳される。
【００１９】
各一意のＲＬＰ連続番号が、各呼出しレグに対して維持されるので、個々のユーザは、ＲＬＰが複数のフレームの再伝送を要求していなくても、現在行われている会話に参加することができる。さらに、トラヒックチャネル上で確立を行っている移動局間の任意の遅延の違いにより分裂は起こらない。
【００２０】
図４は、本発明の好適な実施形態のＭＲＬＰ伝送を示す。図を見れば分かるように、ソースＣＢＳＣ３０１が受信したフレームは、直ちに、付いている受信したＲＬＰ連続番号と一緒に、目標ＣＢＳＣ３１１に転送される。目標ＣＢＳＣ３１１は、移動局３１９と個々のＲＬＰセッションを有する。そのため、目標ＣＢＳＣ３１１は、フレームを移動局３１９に転送するが、受信したＲＬＰ連続番号を、それ自身のセッションに適当な連続番号で置換する。喪失フレームがない場合には、連続番号は、ステップ内で相互に増大する。
【００２１】
あるフレーム（例えば、フレーム６）が、移動局３０９とソースＣＢＳＣ３０１間の空中での伝送中に喪失した場合には、ソースＣＢＳＣ３０１は、移動局３０９にＮＡＫを送ることにより、消去フレームの再伝送をスタートする。一方、フレームは、引き続き、付いているＲＬＰ連続番号と一緒に、目標ＣＢＳＣ３１１に転送される。目標ＣＢＳＣ３１１は、連続番号内の欠落による消去フレームを検出し、目標ＣＢＳＣ３１１は、メモリ内にフレーム連続番号を記憶し、引き続き受信したフレームを、（翻訳した連続番号と一緒に）移動局３１９に伝送する。それにより、移動局３１９と目標ＣＢＳＣ３１１の間で、ＲＬＰ連続番号内に対応する欠落が起こる（すなわち、フレーム１６が欠落する）。移動局３１９は、直ちに、欠落したフレーム１６に関連するＮＡＫを目標ＣＢＳＣ３１１に送り、目標ＣＢＳＣ３１１は、ＮＡＫがソースＣＢＳＣ３０１にすでに送信済みかどうかを判定するために、記憶しているフレームをチェックし、フレーム６が到着するのを待つ。フレーム６の連続番号は、次に、連続番号１６により置換され、移動局３１９に転送される。
【００２２】
上記実施形態の場合には、移動局３１９は、第１のリンク（アップリンク）上の消去フレームと、第２のリンク（ダウンリンク）上の消去フレームとを区別することができないので、ＮＡＫをすべての喪失ＲＬＰ連続番号に送る。他の実施形態の場合には、ＮＡＫが必要かどうかを示すために、「ＮＡＫを必要としない」フィールドが、ＲＬＰフレーミングに追加される。例えば、移動局３０９とソースＣＢＳＣ３０１の間のリンク（第１のリンク）上の消去により、目標ＣＢＳＣ３１１が、ＲＬＰ連続番号を故意に欠落した場合には、「ＮＡＫを必要としない」フィールドが設定される。このフィールドが設定されているのを見た場合、移動局３１９は、連続番号内の欠落は、ダウンリンク消去（第２のリンク）によるものでないこと、また、ＮＡＫを目標ＣＢＳＣ３１１に送信する必要がないことを判定する。このことは、また、将来消去フレームが到着することが予想されることを、移動局３１９に示す。
【００２３】
すでに説明したように、各ＲＬＰは、それ自身の一意の連続番号を維持しているので、受信したＲＬＰ連続番号で観察を行ったり、分裂を起したりしないで、現存の呼出しに参加したり、抜け出すことができる。さらに、トラヒックチャネル上で確立を行っている移動局間の任意の遅延の違いによる分裂も起こらない。
【００２４】
図５は、本発明の好適な実施形態の中央基地局コントローラ（ＣＢＳＣ）のブロック図である。この図に示すように、ＣＢＳＣ３０１／３１１は、論理ユニット５０１、メモリ５０３、翻訳データベース５０５、およびＮＡＫ保留バッファ５０７を備える。論理ユニット５０１は、さらに、ＲＬＰフレームを転送するための伝送回路（図示せず）を備える。本発明の好適な実施形態の場合には、ソースＣＢＳＣ３０１は、完全なフレームおよび対応する（第１の）ＲＬＰ連続番号を論理ユニット５０１に転送する。次に、ＲＬＰ連続番号が、翻訳データベース５０５に送られ、この翻訳データベースは、ＲＬＰセッション間の翻訳情報を供給する。より詳細に説明すると、翻訳データベース５０５は、目標ＣＢＳＣ３１１と移動局３１９間のローカルＲＬＰセッションを、ソースＣＢＳＣ３０１と移動局３０９間の遠隔ＲＬＰセッションとロック設定状態に維持する働きをする。翻訳データベース５０５は、前のローカルな、および離れた（第２の）ＲＬＰ連続番号を含む。
【００２５】
論理ユニット５０１から現在の離れたＲＬＰ連続番号を受信した場合、翻訳データベース５０５は、前の離れたＲＬＰ連続番号からのオフセットを測定する。次に、ローカルなＲＬＰ連続番号を生成するために、このオフセットは、前のローカルなＲＬＰ連続番号に適用される。翻訳データベース５０５は、翻訳したＲＬＰ連続番号を、論理ユニット５０１および消去していると判定された任意のフレームのＲＬＰ連続番号に供給する。
【００２６】
論理ユニット５０１は、翻訳したＲＬＰ連続番号を含む受信フレームを、メモリ５０３内の翻訳したＲＬＰ連続番号により決まるある位置に記憶する。より詳細に説明すると、標準ＲＬＰは、フレームがダウンリンク伝送中に消去した場合には、受信フレームの記憶を必要とする。移動局３１９に伝送中にフレームが消去した場合には、移動局は、そのフレームに否定応答し、論理ユニット５０１は、再伝送のためにメモリ５０３からそのフレームを検索する。
【００２７】
引き続き、論理ユニット５０１は、また、移動局３１９による以降のＮＡＫに対して、すべての受信フレームおよび連続番号をメモリ５０３内に記憶する。消去フレームに遭遇した場合には、論理ユニット５０３は、消去フレームの翻訳したＲＬＰ連続番号を判定し、メモリ５０３内の位置に従って、連続番号中に「フレーム保留」表示を書き込む。論理ユニット５０１は、また、メモリ５０３内の適当な「フレーム保留」表示をチェックすることにより、そのフレームが遅延フレーム（すなわち、移動局３０９が再伝送したフレーム）であるかどうかを判定する。遅延フレームでない場合は、論理ユニット５０１は、伝送回路（図示せず）を通して、移動局３１９に、翻訳した（第２の）ＲＬＰ連続番号と一緒にそのフレームを伝送する。遅延フレームである場合には、論理ユニットは、ＮＡＫ保留バッファ５０７にアクセスすることにより、その遅延フレームが、移動局３１９によりすでに否定応答されたものであるかどうかを判定する。否定応答されていた場合には、そのフレームは、移動局に伝送され、バッファ５０７からペンディングＮＡＫが除去される。否定応答されていなかった場合には、そのフレームは、現時点では伝送されず、適当なＮＡＫを受信するまで記憶される。ローカルＭＲＬＰプロセスにより、ＮＡＫフレームを受信した場合には、上記ＭＲＬＰプロセスは、そのフレームが伝送のために使用できるかどうかを判定するために、そのＮＡＫ要求を、メモリ５０３内に記録している情報と比較する。そのフレームがメモリ５０３で使用できる場合には、そのフレームは移動局３１９に伝送される。「フレーム保留」表示が設定されている場合には、ＮＡＫ要求は、ＮＡＫ保留バッファ５０７内の待ち行列内に入れられ、ソースＣＢＳＣ３０１から要求したフレームが到着するのを待つことになる。
【００２８】
好適な実施形態の場合には、メモリ５０３内のフレームの記憶装置は、後で翻訳されたＲＬＰ連続番号を使用する。しかし、当業者であれば、メモリ５０３内のフレームの記憶装置は、前に翻訳したＲＬＰ連続番号を使用することができることを理解することができるだろう。この場合、論理ユニット５０１は、移動局３１９からＮＡＫを受信した場合、対応する予め翻訳したＲＬＰ連続番号を判定するために、翻訳データベース５０５にアクセスしなければならない。
【００２９】
本発明の他の実施形態の場合には、論理ユニット５０１は、ソースＣＢＳＣ３０１からタグ付きのフレームを受信する。タグ付きのフレームは、ＲＬＰ連続番号およびソースＣＢＳＣ３０１が、そのフレームを消去すべきものと判定したかどうかについての表示を含む。完全なフレームの場合には、ＲＬＰ連続番号は、ソースＣＢＳＣ３０１がソース移動局１０１が受信したＲＬＰ連続番号である。消去フレームの場合には、ＲＬＰ連続番号は、前および以降のＲＬＰ連続番号に基づく補間連続番号である。ＣＤＭＡ仕様ＩＳ−７０７は、そのフレームが、前に伝送したフレームの再伝送フレームであるかどうかを表示するための、「再伝送」ビットを含むいくつかのＲＬＰフレーミングプロトコルを含む。好適な実施形態の場合には、このビットは、移動局３０９とソースＣＢＳＣ３０１との間の消去により遅延したフレームを移動局３１９に伝送する場合に、目標ＣＢＳＣ３１１により設定される。
【００３０】
図６は、本発明の第１の実施形態の、図５のＣＢＳＣの動作を示すフローチャートである。説明を簡単にするために、以下の説明においては、１台の受信機、ＮＡＫ保留バッファ、メモリ、およびグループ呼出しに対する目標ＣＢＳＣ内の翻訳装置について説明する。しかし、実行面から見ると、同じＣＢＳＣ上でも異なるＣＢＳＣ上でも、各ダウンリンクレグ（呼出し）は、実際に、それ自身のフレーム受信機（論理ユニット）、ＮＡＫバッファ、データベースおよび翻訳装置を有する。
【００３１】
ロジックの流れは、ステップ６０１からスタートする。このステップ６０１で、論理ユニット５０１により、第１の移動局から、第１の複数の音声フレームが受信される。すでに説明したように、上記複数のフレームは、第１のＲＬＰセッションに対応する第１の連続番号を有する。ステップ６０３において、論理ユニット５０１は、各ダウンリンクＲＬＰセッションに対する必要なＲＬＰ連続番号を判定するために、翻訳データベース５０５にアクセスする。より詳細に説明すると、送信移動局から受信したアップリンク通信を、それぞれが、それ自身のＲＬＰセッションおよび個々の連続番号を有する複数のダウンリンク移動局に同時に供給することができる。そうするためには、各ダウンリンク通信に対する第１の連続番号を同時に翻訳しなければならない。そのため、例えば、同時に２つのダウンリンク伝送が発生した場合には、第１の複数の連続番号は、第２の複数の連続番号により置換され（ステップ６０５）、また第１の複数の連続番号は、第３の複数の連続番号により置換される（ステップ６０７）。ステップ６０９において、第２の複数の連続番号を有する第１の複数のフレームは、第２の移動局に伝送され、最後に、ステップ６１１において、第３の複数の連続番号を有する第１の複数のフレームが、第３の移動局に伝送される。すでに説明したように、本発明の好適な実施形態の場合には、目標ＣＢＳＣ３１１は、実際には、複数の論理ユニット、メモリ、ＮＡＫ保留データベース、および翻訳データベースを備える。各呼出しレグは、それ自身の論理ユニット、メモリ、ＮＡＫ保留データベースおよび翻訳データベースを使用する。
【００３２】
図７は、フレーム消去中の、図５のＣＢＳＣの動作を示すフローチャートである。図面を簡単にするために、１つのダウンリンクＲＬＰセッションだけについて説明するが、通常の当業者であれば、複数の同時ダウンリンクＲＬＰセッションが、同時に発生する場合があることを理解することができるだろう。論理の流れは、ステップ７０１からスタートする。このステップ７０１において、消去フレームが、ソースＣＢＳＣ３０１により受信される。すでに説明したように、ソースＣＢＳＣ３０１は、直ちに、ＮＡＫを送信移動局に送り、引き続き、受信したフレームを目標ＣＢＳＣ３１３に送る（ステップ７０３）。ステップ７０４において、（目標ＣＢＳＣ３１３内に位置する）論理ユニット５０１が、フレームが消去され、「フレーム保留」が、連続番号と一緒にメモリ５０３内に記憶されたと判定する。（フレームが消去されると、本発明の好適な実施形態の場合には、連続番号の即時表示は受信されず、代わりにＲＬＰは、前のフレームが消去されたことを判定するために、連続番号内で欠落することに留意されたい）。
【００３３】
ステップ７０５において、ダウンリンクＲＬＰセッションに対する適当な連続番号を入手するために、翻訳データベース５０５に対してアクセスが行われ、ステップ７０７において、ヌルフレームが、第２の移動局に伝送されるが、フレームの伝送が行われない場合もある。ステップ７０９において、論理ユニット５０１は、第２の移動局からＮＡＫを受信し、ステップ７１０において、そのフレームがメモリ５０３内に記憶されているかどうかの判定が行われる。フレームがメモリ５０３内に記憶されている場合には、フレームは、単に移動局３１９に送られる（ステップ７１１）。しかし、その連続番号に対して「フレーム保留」が記憶されている場合には、そのフレームは、ソースＣＢＳＣ３０１からまだ受信されていない。この場合、そのフレーム連続番号は、ＮＡＫ保留バッファ５０７で置換される（ステップ７１３）。ステップ７１５において、消去フレームは、論理ユニット５０１により受信され、直ちに、遅延フレーム（すなわち、シーケンスから送られたフレーム）と認識される。論理の流れは、ステップ７１７に進み、このステップ７１７で、遅延フレーム連続番号が、ＮＡＫ保留バッファ内に記憶されているかどうかが判定され、記憶されている場合には、このフレームは翻訳され、移動局３１９に送られる（ステップ７１９）。記憶されていない場合には、このフレームは、直ちに送られないで、バッファ５０３内に記憶される（ステップ７２１）。
【００３４】
遅延フレームが、ＮＡＫ保留バッファ５０７内にない場合には、消去フレームが決して２回送られないように、フレームは送信されない。より詳細に説明すると、目標ＣＢＳＣ３１１がそのフレームに対するＮＡＫを受信する前に、遅延フレームが、目標ＣＢＳＣ３１１により受信された場合には、ＮＡＫが最後に移動局により受信された場合に、そのフレームが再度送信されるのを防止するために、そのフレームは送信されない。
【００３５】
特定の実施形態を参照しながら、本発明を詳細に図示し、説明してきたが、当業者であれば、本発明の精神および範囲から逸脱することなしに、本発明の形状および詳細な点を種々に変更することができることを理解することができるだろう。例えば、ＣＢＳＣ間で受信したＲＬＰ連続番号を直接転送する代わりに、ＣＢＳＣ間の通信のために中関連続番号を使用することができる。この場合、受信ＣＢＳＣは、受信したＲＬＰ連続番号を、中関連続番号に翻訳し、この中関連続番号は、フレームと一緒に目標ＣＢＳＣに送信される。目標ＣＢＳＣは、中関連続番号をそのローカルＲＬＰ連続番号に翻訳する。
【００３６】
別な方法としては、中関連続番号ではなく、タイミング情報をＣＢＳＣ間で伝送することもできる。その場合、ＣＢＳＣのところで移動局から正確に受信したフレームに、到着時刻のタグが付けられる。これらのタグが付いたフレームは、目標ＣＢＳＣに送られ、一方、消去の場合には、フレームは送られない。目標ＣＢＳＣは、タグ付きの到着時刻の間隔が、空間フレーミング間隔とほぼ等しいと予想する（ＣＤＭＡシステムの場合には、この間隔は通常２０ミリ秒である）。次に、到着時刻は、目標ＣＢＳＣのところで、ローカルＲＬＰ連続番号に翻訳される。タグ付きの到着時刻での欠落は、ＲＬＰ連続番号を欠落するようにという、目標ＣＢＳＣに対する表示である。このような変更は、特許請求の範囲内に含まれる。
【図面の簡単な説明】
【図１】従来技術の通信システムのブロック図。
【図２】従来技術の修正無線リンクプロトコル（ＭＬＲＰ）伝送を示す図。
【図３】本発明の好適な実施形態の通信システムのブロック図。
【図４】本発明の好適な実施形態のＭＬＲＰ伝送を示す図。
【図５】本発明の好適な実施形態の中央基地局コントローラ（ＣＢＳＣ）のブロック図。
【図６】本発明の第１の実施形態の図５のＣＢＳＣの動作を示すフローチャート。
【図７】本発明の第２の実施形態の図５のＣＢＳＣの動作を示すフローチャート。
【図１】
2004537915.tif 000003
【図２】
2004537915.tif 000004
【図３】
2004537915.tif 000005
【図４】
2004537915.tif 000006
【図５】
2004537915.tif 000007
【図６】
2004537915.tif 000008
【図７】
2004537915.tif 000009
【国際公開パンフレット】
2004537915.tif 000010
2004537915.tif 000011
2004537915.tif 000012
2004537915.tif 000013
2004537915.tif 000014
2004537915.tif 000015
2004537915.tif 000016
2004537915.tif 000017
2004537915.tif 000018
2004537915.tif 000019
2004537915.tif 000020
2004537915.tif 000021
2004537915.tif 000022
2004537915.tif 000023
2004537915.tif 000024
2004537915.tif 000025
2004537915.tif 000026
2004537915.tif 000027
2004537915.tif 000028
2004537915.tif 000029
2004537915.tif 000030
2004537915.tif 000031
【国際公開パンフレット（コレクトバージョン）】
2004537915.tif 000032
2004537915.tif 000033
【国際調査報告】
2004537915.tif 000034
2004537915.tif 000035
2004537915.tif 000036
2004537915.tif 000037
2004537915.tif 000038